(57)【要約】【課題】温度調節やタイマー等の操作部のような付属ユニットに搭載される小型の押しボタンに対して、煮こぼれなどの侵入対策を施した押しボタン構造を提供する。【解決手段】押しボタン２１を囲む枠体２４ａ、２４ｂ、２４ｃ、２４ｄに、押しボタン側面部分２７を支持させて、枠体付きボタン２４を形成し、この枠体付きボタン２４の押しボタン２１とボタン穴２９とスイッチ穴３０とを、押し込み方向で連ねた状態で、シートフィルム３３付きの開口周縁部分３２ａ、３２ｂと操作パネル１７との間に、枠体２４ａ、２４ｂ、２４ｃ、２４ｄを気密に嵌め込むことにより、シートフィルム３３と操作パネル１７と押しボタン２１と枠体２４ａ、２４ｂ、２４ｃ、２４ｄとで囲まれる内側空間３５を形成し、さらに、押しボタン２１の進退を、この押しボタン２１とボタン穴２９との間の密着を保ちながら行うと共に、操作パネル１７と枠体２４ａ、２４ｂ、２４ｃ、２４ｄとの密着面３６ａ、３６ｂの外側周縁全周位置のパネル裏面３７ａ、３７ｂに両面テープ３８ａ、３８ｂを取付けて、内側空間３５を気密にする。【選択図】図６
2006004881.tif 000002
【特許請求の範囲】
【請求項１】
操作パネルに開設したボタン穴に貫装され、該操作パネル表面に臨んで突出するボタン面部分と、該ボタン面部分に連なる中空筒体から成る側面部分とを備え、前記ボタン面の押し込み操作によりボタン穴を進退する押しボタンの構造であって、
押し込み方向で前記ボタン穴に連なるスイッチ穴に収容した作動スイッチと、前記中空筒体内に設けた接触端子とが、前記スイッチ穴の開口部分を塞ぐシール面を介して接触するものにおいて、
押しボタンを囲む枠体に、該押しボタンの側面部分を支持させて、枠体付きボタンを構成し、
前記枠体付きボタンの押しボタンと前記ボタン穴と前記スイッチ穴とを、押し込み方向で連ねた状態で、前記シール面付きの開口周縁部分と操作パネルとの間に、前記枠体を気密に嵌め込むことにより、シール面と操作パネルと押しボタンと枠体とで囲まれる内側空間を形成し、
前記押しボタンの進退を、該押しボタンとボタン穴との間の密着を保ちながら行うと共に、
前記操作パネルに密着する枠体の外側周縁全周位置でパネル裏面にシール部材を取付けて、
前記内側空間を気密にしたことを特徴とする押しボタン構造。
【請求項２】
前記枠体付きボタンは、横長矩形状の枠体と、枠内に一列に並べた複数個の押しボタンと、該枠体から枠内に延出した一対の支持腕との一体構成から成り、前記側面部分への枠体の支持は、前記支持腕を介して行われることを特徴とする請求項１に記載の押しボタン構造。
【請求項３】
前記枠体付きボタンを構成する押しボタンと支持腕とは、ボタン面部分と側面部分と接触端子とが剛性材質であると共に、支持腕が可撓性材質であることを特徴とする請求項２に記載の押しボタン構造。
【請求項４】
前記枠体付きボタンを構成する押しボタンと支持腕とは、側面部分と接触端子と支持腕とが剛性材質であると共に、ボタン面部分が可撓性材質であることを特徴とする請求項２に記載の押しボタン構造。
【請求項５】
前記シール面と前記シール部材とを一体に連結し、前記内側空間を囲むようにしたことを特徴とする請求項１乃至４のいずれか１項に記載の押しボタン構造。
【請求項６】
前記シール部材は両面テープであり、前記シール面はシートフィルムであることを特徴とする請求項１乃至５のいずれか１項に記載の押しボタン構造。
【発明の詳細な説明】
【技術分野】
【０００１】
本発明は、コンロ本体の前面の操作パネルに設けた温度調節やタイマー等の操作部などの押しボタンの構造に関する。
【背景技術】
【０００２】
従来、この種のコンロでは、コンロの調理時に煮こぼれが生じ、この煮こぼれ汁が操作パネルに垂れ落ちると、操作パネルのボタン穴から内部の隙間を伝って侵入し、ボタン穴内に挿入されているボタン筒体の側面壁に貼り付いてしまうことがある。これが原因で、操作ボタンが操作不良となることも多い。
【０００３】
この種の煮こぼれ汁対策として、特許文献１に示すものは、操作ボタンの側面部分、即ち、指当て面の側縁部に突条部を設け、操作ボタンに隣接する仕切壁との間の隙間を狭めて、その侵入を抑制している。
【０００４】
また、特許文献２に示すものは、操作つまみ軸に連なり、これを後方で嵌め込んで用いる外筒部の外側表面に露出した集合板や固定端子をカバーで覆い、侵入した煮こぼれ汁による端子間の短絡を防いでいる。
【０００５】
さらに、特許文献３のものは、操作パネルのつまみ開口部と操作つまみの両者間に操作リングを介在させて、両者間に形成される隙間を覆う。この操作リングにより隙間が隠れ、調理時の煮こぼれや調理油の侵入を防ぐことが知られている。
【特許文献１】特開２００４-０６９１７９号公報（第４頁、図３）
【特許文献２】特開平１０-２３８７８４号公報（第６頁、図９）
【特許文献３】特開平１０-２８８３４５号公報（第３頁、図５）
【発明の開示】
【発明が解決しようとする課題】
【０００６】
ところで、最近のコンロには多数の機能が搭載されるようになり、前面操作パネルに、各種の調理の温度調節やタイマー等のための表示やスイッチを設けなければならず、これらを設けるために、操作パネルのスペースが不足してしまい、これらに付属する操作ボタン等を小型にする必要が生じてきた。また、最近は、すっきりとした高級感のあるデザインが好まれるようになり、前面操作パネルも垂直なフラット面にする必要がある。このため、操作ボタンについても、押し込み操作の感覚を得るために、凸出しの押しボタンにする必要があった。これらは、操作パネル表面に臨む押しボタン部分の押し込みや押し戻しにより、オン-オフ操作を可能としたものである。しかしながら、上記特許文献などで用いる点消火用操作つまみに比べ、小型の押しボタン構造を使用するため、従来例をそのまま適用するのは困難である。
【０００７】
例えば、押しボタン構造の場合、煮こぼれなどの煮汁が操作パネル表面を伝って押しボタンに付着したり、調理者の指先についた小量の油ミスト等の異物が、ボタン面に付着したりしただけで、こびりついた油分により押しボタンのストロークが小さくなることがある。さらに、押しボタンが操作パネル面に固着して、ボタンの押し戻しが利かなくなる場合もある。特に、ボタンに接触する指先の大きさが、押しボタンより大きい場合にこのような不具合が生じやすい。
【０００８】
また、これに類似する問題は、操作パネルの清掃作業時に用いる洗剤液によっても生じる場合がある。
【０００９】
本発明は、上記問題点に鑑み、例えば温度調節やタイマー等の操作部のような付属ユニットに搭載される小型の押しボタンに対して、煮こぼれなどの侵入対策を施した押しボタン構造を提供することを課題としている。
【課題を解決するための手段】
【００１０】
上記課題を解決するため、本発明は、操作パネルに開設したボタン穴に貫装され、この操作パネル表面に臨んで突出するボタン面部分と、ボタン面部分に連なる中空筒体から成る側面部分とを備え、ボタン面の押し込み操作によりボタン穴を進退する際に、押し込み方向でボタン穴に連なるスイッチ穴に収容した作動スイッチと、中空筒体内に設けた接触端子とが、スイッチ穴の開口部分を塞ぐシール面を介して接触するボタン構造において、押しボタンを囲む枠体にボタン側面部分を支持させて枠体付きボタンを構成し、この枠体付きボタンの押しボタンとボタン穴とスイッチ穴とを、押し込み方向で連ねた状態で、シール面付きの開口周縁部分と操作パネルとの間に、この枠体を気密に嵌め込むことにより、シール面と操作パネルと押しボタンと枠体とで囲まれる内側空間を形成し、押しボタンの進退を、この押しボタンとボタン穴との間の密着を保ちながら行うと共に、操作パネルに密着する枠体の外側周縁全周にシール部材を取付けて、この内側空間を気密にしたことを特徴とする。
【００１１】
これによれば、内側空間に対して、煮こぼれ汁の侵入経路となることが多い、構成部品の接合部分、即ち、押しボタンの進退部分や、操作パネルと枠体との密着面近傍の接合部分にシール部材を用いるなどの気密対策を行っているため、シール面と操作パネルと押しボタンと枠体とにより囲まれる内側空間を気密することができる。このため、その内部に煮こぼれが侵入することを防止できる。例えば、押しボタンの進退に際しては、押しボタンとボタン穴との間で両者の密着を保っており、また、操作パネルと枠体との密着面近傍では、これに外側方向で連なる操作パネル脇部分にシール部材を取付け、これにより、操作パネルとこれに装着される内部部品（例えば基板ケースなど）との間に隙間が生じない。
【００１２】
このようにして、小型の押しボタン構造であっても、内側空間の気密を保つことができ、正確な押しボタン機能を長期にわたり維持することが可能となる。
【００１３】
そして、枠体付きボタンを、横長矩形状の枠体と、枠内に一列に並べた複数個の押しボタンと、枠体から枠内に延出した一対の支持腕との一体構成とし、さらに、ボタン側面部分への枠体の支持は、これら支持腕を介して行う。この枠体付きボタンは、多機能化に対応して複数の押しボタンを必要とする温度調節用パネルなどを組み立てる際に、ユニット化した部品として使用できる。そして、コンロ組み立て時の部品点数の削減やこれに伴う作業性向上が得られる。また、押しボタンの枠内支持は、押しボタンの側面部分に対して、一対の支持腕によって為される。このため、押しボタンは押し込み方向の進退自由度を確保しながらも、枠内での所定配置が保たれる。
【００１４】
この場合、枠体付きボタンを構成する押しボタンと支持腕に関し、ボタン面部分と側面部分と接触端子とに剛性材質を用いる一方で、支持腕に可撓性材質を用いることが望まれる。
【００１５】
支持腕が可撓性であることにより、上記した押しボタンの押し込み方向の進退自由度が確実になるうえに、押し込みの押圧が解除されたときに、可撓性材質の持つ戻り付勢が作用して、ボタンを当初位置に自動的に復元することができ、操作が容易になる。
【００１６】
あるいは、枠体付きボタンを構成する押しボタンと支持腕に関し、側面部分と接触端子と支持腕とに剛性材質を用いる一方で、ボタン面部分に可撓性材質を用いることが望まれる。
【００１７】
ボタン面部分が可撓性であることにより、上記した押し込み操作時に、ボタン面に連なる接触端子の進退自由度が確実に得られる。また、ボタン面に対する押し込みの押圧が解除されたときに、可撓性材質の持つ戻り付勢が作用して、ボタン面を当初位置に自動的に復元することができ、操作が容易になる。
【００１８】
なお、部品点数削減は重要であることはシール部材に関しても同様である。そこで、シール面とシール部材とを一体に連結し、内側空間を囲むようにした。このとき、シールのために別体構成の部品を用意することが不要になり、押しボタン構造が簡略化される。
【００１９】
また、シール部材として両面テープを用いたり、シール面としてシートフィルムを用いたりすることにより、押しボタンの内側空間への空気の流れを確実に遮断することができ、調理等で発生する油ミストの侵入を抑えることができるため、押しボタンの機能を長期にわたり維持することができる。
【発明の効果】
【００２０】
本発明の押しボタン構造は、シール面と操作パネルと押しボタンと枠体とにより囲まれる内側空間において、煮こぼれ汁の侵入経路となるおそれのある、押しボタンの進退部分や、操作パネルと枠体との密着面近傍などの接合部分に対して、気密対策を行うものである。即ち、押しボタンの進退を、この押しボタンとボタン穴との間の密着を保ちながら行い、また、操作パネルと枠体との密着面に外側方向で連なる操作パネル脇部分にシール部材を取付けるなどの対策により、内側空間の気密を確保して、煮こぼれなどの侵入を防止する。したがって、煮こぼれなどの侵入に起因する、押しボタン機能の作動不良などを招くことがなく、長期にわたり正確な押しボタン機能を維持できる。
【００２１】
また、複数の押しボタンと、これらを枠内で支持する枠体とにより構成される枠体付きボタンを使用することにより、多機能化に対応して複数ボタンを搭載した温度調節用パネルなどを組み立てる際に、部品点数の削減やこれに伴う作業性向上が得られる。
【発明を実施するための最良の形態】
【００２２】
図１及び図２は、ビルトインコンロに搭載されるグリル付き３口コンロ部分の外観を示すものである。コンロ本体１の上面にガラス天板２が装着され、この天板２は、ガラス板２ａとその背後の排気孔２ｂとで構成される。また、ガラス板２ａには、コンロ本体１に設けたコンロバーナ３、４、５を覗く３個のコンロ開口を開設する。そして、これらの各コンロ開口を囲うガラス板２ａ上に、開口を囲うようにして３組の五徳６が載置されている。なお、コンロバーナ３は内炎式バーナで構成され、コンロバーナ４は鍋底温度センサ４ａを付設した外炎式バーナで構成される。
【００２３】
コンロ本体１の前面には、中央のグリル扉７と左右の操作パネル８、９とが設けられている。左側の操作パネル８には、コンロバーナ５用の点火ボタン１０と、コンロバーナ３用の点火ボタン１１と、コンロバーナ５用の火力調節レバー１２と、コンロバーナ３用の火力調節レバー１３と、電池ケース１４とが配置されている。また、右側の操作パネル９には、コンロバーナ４用の点火ボタン１５と、グリル用の点火ボタン１６と、温度調節パネル１７とが配置される。ここで、点火ボタン１０、１１、１５、１６は、プッシュ-プッシュ機構方式のガスバルブを押すことで、ガスバーナの点火及び消火を行うものである。さらに、操作パネル９の温度調節パネル１７の上方に、コンロバーナ４用の火力調節レバー１８と、グリルの上火バーナ用と下火バーナ用の上下一対の火力調節レバー１９、２０とが配置される。そして、さらに、６連の多機能ボタン２１が設置されている。
【００２４】
右側の操作パネル９の拡大図たる図３を用いて説明すると、温度調節パネル１７に搭載した６連の押しボタン２１ａ〜２１ｆは、例えば、揚げものモード、炊飯モード、湯わかしモード、タイマー、タイマー設定時間の増減などの機能に対応しており、ボタン面２１ａ〜２１ｆを指先で押すだけでモード設定の開始及び終了ができるようになっている。さらに、図示はしないが、あるモード開始後には、開始モードの範囲で切り替えが可能である。例えば、揚げものモードの押しボタン２１ａを押して、揚げものモードをオンにした時には、別に用意した切り替えボタンを押すことにより、２００℃、１８０℃、１６０℃の３段階に用意した温度切り替えを行うことができる。
【００２５】
図４、図５及び図６において、この押しボタン２１ａ〜２１ｆの機構の詳細を示す。図３における押しボタン２１ａ〜２１ｆの周辺部分で、温度調節パネル１７の一部を取り除いたときの様子を示すのが図４である。
【００２６】
図４に示すように、基板ケース２２の前面２２ａに、窪み部分２３が開設されている。窪み部分２３は、一定の間隔ｄを保って対向する上下両縁２３ａ、２３ｂを有する横長矩形状に形成される。そして、この窪み部分２３の上下両縁２３ａ、２３ｂと同一間隔ｄで対向する上下両枠２４ａ、２４ｂと、これの左右両端同士を連結する左右両枠２４ｃ、２４ｄとで、横長矩形状枠体２４ａ、２４ｂ、２４ｃ、２４ｄを形成し、これの枠内に押しボタン２１ａ〜２１ｆを囲んだものを枠体付きボタン２４として構成した。
【００２７】
図５（ａ）は、枠体付きボタン２４の詳細を示すもので、枠体２４ａ、２４ｂ、２４ｃ、２４ｄの枠内に、押しボタン２１ａ〜２１ｆを一列に並べて６連ボタンとし、上下両枠２４ａ、２４ｂと個々の押しボタン２１ａ〜２１ｆとを可撓性アーム２５ａ、２５ｂで接続して、一体構成としている。
【００２８】
この断面図である図５（ｂ）を用いて説明すると、ボタン２１は、ボタン面部分２６と側面部分２７とを備えた中空筒体構造で、この中空筒体内部に接触端子２８が設けられている。そして、基板ケース前面２２ａに嵌め込まれて固定された上下両枠２４ａ、２４ｂから伸びる可撓性アーム２５ａ、２５ｂが、ボタン２１の側面部分２７に固着される。
【００２９】
また、枠体２４ａ、２４ｂ、２４ｃ、２４ｄや押しボタン２１は剛性材質で成形され、アーム２５ａ、２５ｂは可撓性材質で成形されている。さらに、図５（ａ）に示すように、可撓性アーム２５ａ、２５ｂは、押しボタン２１の側面部分２７でボタン２１を挟む対称位置の両側に取付けられている。したがって、ボタン面２６に対する押し込み操作に際して、押しボタン２１は、側面部分２７の両側で支持された状態を継続する。このため、押しボタン２１が進退する間、押しボタン２１は、枠体２４ａ、２４ｂ、２４ｃ、２４ｄに対して傾くことなく、押し込み方向に正面から向き合う正立姿勢を保ちながら進退できる。
【００３０】
さらに、押しボタン２１の側面部分２７の両側を支持するアーム２５ａ、２５ｂは可撓性であるため、調理者の指先がボタン面２６から離れて、ボタン２１に対する押し込み操作が解除されると、アーム２５ａ、２５ｂを撓ませていた押圧も失われる。そして、この押圧力が失われることにより、その反動で可撓性アーム２５ａ、２５ｂが押圧以前の位置に戻るため、結果的に、押しボタン２１も押し込み操作前の位置に復帰する。このように、アーム２５ａ、２５ｂが可撓性であることにより、押しボタンには、戻りの付勢力が備わっており、優れた操作性が得られる。
【００３１】
図６は、押しボタン２１を取付けた枠体付きボタン２４を、操作パネル背面に設置した状態を示す断面図である。
【００３２】
図６に示すように、操作パネル１７に開設されたボタン穴２９と、コンロ本体内部のスイッチ穴３０に収容した作動スイッチ３１とが、押しボタン２１の押し込み方向で連なる位置に配置されている。また、スイッチ穴３０の開口周縁部分３２ａ、３２ｂは、基板ケース２２と一体的に構成され、さらに、開口周縁部分３２ａ、３２ｂ間に、ポリエステルシートフィルム３３が貼り付けられ、スイッチ穴３０の開口を塞ぐ。なお、シートフィルム３３は、作動スイッチ３１より後方の電子機器部品への汚染防止目的で設置されている。そして、基板ケース２２の前面２２ａに形成される窪み部分２３（図６において上下両縁２３ａ、２３ｂとシートフィルム３３とで形成される部分）に、枠体付きボタン２４の枠体２４ａ、２４ｂ、２４ｃ、２４ｄが嵌め込まれた状態で、操作パネル１７を気密に装着する。この結果、ボタン穴２９とスイッチ穴３０と押しボタン２１とが押し込み方向に一列に連なる構造が得られる。
【００３３】
上述したように、アーム２５ａ、２５ｂが可撓性材質で成形されているので、固定された枠体２４ａ、２４ｂ、２４ｃ、２４ｄに対して、押しボタン２１が押し込み方向に進退可能である。そして、ボタン面２６を指先で押し込むと、押しボタン２１の接触端子２８と、基板３４に連なる作動スイッチ３１とが、ポリエステルシートフィルム３３を介して接触し、温度調節やタイマー等の操作部において、機能モードのオン-オフが行われる。
【００３４】
この押しボタン構造では、シートフィルム３３と操作パネル１７と押しボタン２１と枠体２４ａ、２４ｂ、２４ｃ、２４ｄとにより内側空間３５が形成される。
【００３５】
上述したように、煮こぼれ侵入対策には、この内側空間３５を気密にすることが重要である。このため、押しボタン２１の進退に際して、側面部分２７とボタン穴２９とは、密着状態を保っており、言わば密栓状態のまま進退可能としている。また、操作パネル１７と枠体２４ａ、２４ｂ、２４ｃ、２４ｄとの密着面３６ａ、３６ｂの近傍においては、その外側周縁全周位置のパネル裏面３７ａ、３７ｂに、それぞれ両面テープ３８ａ、３８ｂを貼付して、操作パネル１７と基板ケース前面２２ａとの間に隙間が生じないようにする。
【００３６】
なお、内側空間３５を完全に気密にすると、内部で可動としたアーム２５ａ、２５ｂや接触端子２８などが動きにくくなる懸念が生じるが、空間後方のシール面に通気性のポリエステルシートフィルム３３を用いるなどして、通気性を保ったうえで気密の内側空間３５を形成しているため、上記した内部可動部品（アーム２５ａ、２５ｂ、接触端子２８など）の可動状態は確保されている。
【００３７】
このようにして、内側空間に接する接合部分の密封対策が施され、煮こぼれ侵入経路を塞ぐことができる。そして、小型の押しボタン構造であっても、内側空間３５の気密を保つことができ、正確な押しボタン機能を長期にわたり維持することが可能となる。
【００３８】
なお、上記構成に適した可撓性材質として、低密度ポリエチレン樹脂などを用いることができ、また、剛性材質として、高密度ポリエチレン樹脂などを用いることができる。
【００３９】
なお、図６に搭載した枠体付きボタン２４は、図５（ｂ）に示す態様のものであったが、図５（ｃ）に示すものを別態様とすることができる。図５（ｂ）に示す枠体付きボタン２４では、アーム２５ａ、２５ｂが可撓性材質であり、他部材が剛性材質であったのに対して、図５（ｃ）に示すものは、ボタン面２６’に可撓性材質を用い、他部材は剛性材質である。ボタン面２６’に対する押し込み操作時に、これに連なる剛性材質の接触端子２８が連動し、これが作動スイッチに接触する。一方、調理者の指先がボタン面２６’から離れて、ボタン２１に対する押し込み操作が解除されると、ボタン面２６’を撓ませていた押圧も失われる。そして、この押圧力が失われることにより、その反動でボタン面２６’が押圧以前の位置に戻る。このように、ボタン面２６’が可撓性であることにより、押しボタンには、戻りの付勢力が備わっており、優れた操作性が得られる。また、ボタン面２６’が可撓性である場合、ボタン面２６’とこれに連動する接触端子２８とだけで、作動スイッチ３１のオン-オフが可能となる。したがって、必ずしも、側面部分２７をボタン穴２９で進退させる必要がなくなり、側面部分２７とボタン穴２９との密栓状態が確実なものになる点で有利である。
【００４０】
なお、図６において内側空間３５の気密を保つためのシール部材として、ポリエステルシートフィルム３３と両面テープ３８ａ、３８ｂの２部材構成としたが、ポリエステルフィルム３３と両面テープ３８ａ、３８ｂとを、窪み部分２３の上下両縁２３ａ、２３ｂに沿って延伸して一体的に連結したものを用いても良い。一体構成のシール部材を用いることにより、組み付け時の利便性が向上することは言うまでもない。
【図面の簡単な説明】
【００４１】
【図１】コンロ本体の外観斜視図
【図２】コンロ本体の外観正面図
【図３】右側操作パネルの正面図
【図４】右側操作パネルの押しボタンの内部機構を示す正面図
【図５】（ａ）枠体付きボタンの正面図（ｂ）第１態様の枠体付きボタンの断面図（ｃ）第２態様の枠体付きボタンの断面図
【図６】本発明の押しボタン構造を示す断面図
【符号の説明】
【００４２】
１                              コンロ本体
８  ９  １７                    操作パネル
２１  ２１ａ〜２１ｆ            押しボタン
２４                            枠体付きボタン
２４ａ  ２４ｂ                  上下枠
２４ｃ  ２４ｄ                  左右枠
２４ａ  ２４ｂ  ２４ｃ  ２４ｄ  横長矩形状枠体
２５ａ  ２５ｂ                  可撓性アーム（可撓性支持部材）
２６    ２６’                  ボタン面
２７                            側面部分
２８                            接触端子
２９                            ボタン穴
３０                            スイッチ穴
３１                            作動スイッチ
３２ａ  ３２ｂ                  開口周縁部分
３３                            ポリエステルシートフィルム（シール面）
３５                            内側空間
３６ａ  ３６ｂ                  密着面
３７ａ  ３７ｂ                  外側周縁全周位置
３８ａ  ３８ｂ                  両面テープ（シール部材）
【図１】
2006004881.tif 000003
【図２】
2006004881.tif 000004
【図３】
2006004881.tif 000005
【図４】
2006004881.tif 000006
【図５】
2006004881.tif 000007
【図６】
2006004881.tif 000008